(57)【要約】【課題】洗浄ノズルから噴射される洗浄液の勢いを下げることなく、洗浄領域を拡大して洗浄作業の効率化と洗浄ムラの発生の防止とを図る。【解決手段】床面等の洗浄装置１は、環状ブラシ３と、飛散防止カバー５と、旋回軸９と、旋回パイプ３１と、ノズル取付部材３５と、洗浄ノズル３９とを備えており、洗浄ノズル３９はケーシング４７と、揺動空間４９と、揺動子５３とを備え、このうち揺動子５３は揺動空間４９内に供給された洗浄液Ｗの流勢によって揺動空間４９の底部に形成された開口部６３付近を揺動支点として揺動回転しながら洗浄液Ｗを噴射するように構成されている。【選択図】        図６
2008023219.tif 000002
【特許請求の範囲】
【請求項１】
飛散防止カバーと、該飛散防止カバーの上面の中心を貫くように設けられる管継手を兼ねた旋回軸と、該旋回軸の下端に設けられ洗浄面とほぼ平行な姿勢で旋回する旋回パイプと、該旋回パイプの両端においてノズル取付部材を介して取り付けられる複数の洗浄ノズルとを備えた床面等の洗浄装置において、
前記洗浄ノズルはケーシングと、ケーシングの内部に形成された擂り鉢形状の揺動空間と、揺動空間内に収容され、中心にノズル口が貫通状態で形成されている揺動子とを備えており、前記揺動子は揺動空間内に供給された洗浄液の流勢によって揺動空間の底部に形成された開口部付近を揺動支点として揺動回転しながら洗浄液を噴射するように構成されていることを特徴とする床面等の洗浄装置。
【請求項２】
請求項１に記載した床面等の洗浄装置において、前記旋回パイプの両端には雄ネジ部が形成されており、前記ノズル取付部材には前記雄ネジ部と螺合する雌ネジ部が形成されており、前記旋回パイプとノズル取付部材を接続するに当たっては両者の間にロックナットを介在することによってノズル取付部材の取付角度を調整できるよう構成したことを特徴とする床面等の洗浄装置。
【請求項３】
請求項１または２に記載した床面等の洗浄装置において、前記環状ブラシと飛散防止カバーを組み合わせた高さは３００〜４００ｍｍの高さに設定されていることを特徴とする床面等の洗浄装置。
【発明の詳細な説明】
【技術分野】
【０００１】
本発明は、板貼り、タイル貼り、石貼り、合成樹脂貼りあるいはガラス貼り等の各種の床面や床面に敷いたカーペットや各種のマットを洗浄するのに使用される床面等の洗浄装置に関するものである。
【背景技術】
【０００２】
ホテルやホールのロビー、各フロアに至る連絡通路やフロアの床面等、比較的広い面積を有する床面等を洗浄する場合には従来から床面等の洗浄装置が使用されている。
飛散防止カバーと、該飛散防止カバーの上面の中心を貫くようにして取り付けられる旋回軸と、旋回軸の下端に設けられる旋回パイプと、旋回パイプの両端に固定状態で取り付けられる洗浄ノズルとを一般に備えている。
【０００３】
そして上記旋回軸から左右に延びている旋回パイプの両端に洗浄液を供給し、旋回パイプの両端において床面等を指向するように斜めに取り付けられている洗浄ノズルから勢い良く洗浄液を噴射させることによって、旋回パイプは床面等と平行に旋回するようになり、旋回しながら実行する。
しかし洗浄ノズルの開口部から噴射される洗浄液は高速で噴射される関係上、噴射角度が絞られており、床面等に作用する洗浄領域もリング状の極めて狭い範囲に限定されていた。従って洗浄作業の効率性が悪く、洗浄ムラが発生し易い点で問題を有していた。
また、従来の洗浄ノズルには、その開口部をスリット状にして、噴射パターンが扇型になるものもある。この洗浄ノズルでは洗浄範囲はある程度広くできるものの、扇型に開いた分だけ水勢が低下して洗浄力が低くなってしまう。このため水勢を十分なものにするためには、かなり大型のポンプを使用しなければならない問題がある。
更に、従来の床面等の洗浄装置における洗浄ノズルは旋回パイプに対して固定状態で設けられていたため、供給される洗浄液の流速の変化や、洗浄する床面等の種類や状態に応じて取付角度を調整したくてもユーザレベルでの調整は事実上不可能であり、改善が求められていた。
【発明の開示】
【発明が解決しようとする課題】
【０００４】
本発明は上記の背景技術及び背景技術が抱える問題点の存在を踏まえてなされたものであって、洗浄ノズルから噴射される洗浄液の勢いを下げることなく、洗浄領域を拡大し、洗浄ノズルの取付角度を調整することができる作業効率と取り扱い性に優れた床面等の洗浄装置を提供することを解決しようとする課題とする。
【課題を解決するための手段】
【０００５】
上記課題を解決するために、請求項１に記載した発明は、飛散防止カバーと、該飛散防止カバーの上面の中心を貫くように設けられる管継手を兼ねた旋回軸と、該旋回軸の下端に設けられ洗浄面とほぼ平行な姿勢で旋回する旋回パイプと、該旋回パイプの両端においてノズル取付部材を介して取り付けられる複数の洗浄ノズルとを備えた床面等の洗浄装置において、
前記洗浄ノズルはケーシングと、ケーシングの内部に形成された擂り鉢形状の揺動空間と、揺動空間内に収容され、中心にノズル口が貫通状態で形成されている揺動子とを備えており、前記揺動子は揺動空間内に供給された洗浄液の流勢によって揺動空間の底部に形成された開口部付近を揺動支点として揺動回転しながら洗浄液を噴射するように構成されていることを特徴とする床面等の洗浄装置である。
【０００６】
請求項２に記載した発明は、請求項１に記載した床面等の洗浄装置において、前記旋回パイプの両端には雄ネジ部が形成されており、前記ノズル取付部材には前記雄ネジ部と螺合する雌ネジ部が形成されており、前記旋回パイプとノズル取付部材を接続するに当たっては両者の間にロックナットを介在することによってノズル取付部材の取付角度を調整できるよう構成したことを特徴とする床面等の洗浄装置である。
【０００７】
請求項３に記載した発明は、請求項１または２に記載した床面等の洗浄装置において、前記環状ブラシと飛散防止カバーを組み合わせた高さは３００〜４００ｍｍの高さに設定されていることを特徴とする床面等の洗浄装置である。
【発明の効果】
【０００８】
本発明の床面等の洗浄装置によれば、ノズル口が形成された揺動子が揺動空間内で揺動回転しながら洗浄液を噴射するから、洗浄液の勢いを下げることなく洗浄液を噴射させる方向を連続的に変化させることによって洗浄領域を大幅に拡大することができる。従って洗浄作業の効率化が図られ、ムラのない丁寧な洗浄作業が実行される。
またロックナットを使用してノズル取付部材の取付角度を調整できるようにした場合には、供給される洗浄液の流速の変化や、洗浄する床面等の種類や状態に応じて容易に洗浄ノズルの取付角度を調整することができる。
【０００９】
また環状ブラシと飛散防止カバーを組み合わせた高さ３００〜４００ｍｍの高さに設定した場合には、高さの高い洗浄ノズルを取り付けることができるようになる。また洗浄ノズルの開口部から床面等までの距離が長くなるため洗浄ノズルから噴射された洗浄液の床面等に作用する洗浄領域が拡大し、洗浄作業の一層の効率化が図られる。
また供給管路を兼ねたアーム部を設けた場合には床面等の洗浄装置の軽量化が図られ、片手で操作できる操作ハンドルの採用によって操作性が向上し、床面等の洗浄装置の取り扱い性も向上する。
【発明を実施するための最良の形態】
【００１０】
以下、本発明の床面等の洗浄装置を実施するための最良の形態として図示の実施の形態を例に採って具体的に説明する。
尚、本発明の洗浄面である床面等Ａには、板貼り、タイル貼り、石貼り、合成樹脂貼りあるいはガラス貼り等の各種の床面が含まれ、更にこれらの床面の上に敷き詰められるカーペットや各種のマットが含まれる。
【００１１】
本発明の床面等の洗浄装置１の下端には床面等Ａに摺接する環状ブラシ３が設けられている。環状ブラシ３は幅方向に長い帯状のブラシをリング状に湾曲させて成形したものである。
環状ブラシ３の上方には環状ブラシ３の上方空間を閉塞して洗浄液Ｗの外部への飛散を防止する飛散防止カバー５が設けられている。飛散防止カバー５は直径が３００〜５００ｍｍ程度、高さが３００〜４００ｍｍ程度のステンレス製の上面７を有する短寸法の円筒状の部材である。
【００１２】
飛散防止カバー５の上面７の中心には図示しない貫通穴が形成されており、該貫通穴を利用して飛散防止カバー５の上面７を貫く、管継手を兼ねた旋回軸９が取り付けられている。
また飛散防止カバー５の周胴部には断面Ｌ字状の取付ブラケット１１が等間隔に３個設けられている。そして各取付ブラケット１１の先端部にはキャスタ１３がボルト１５を使用して取り付けられている。
すべてのキャスタ１３は床面等Ａ上を自由に転動し、床面等Ａと平行な平面方向に自由に回転することができる、いわゆるフリーキャスタによって構成されている。
【００１３】
旋回軸９は真鍮製で飛散防止カバー５の上面７に固定される上部に位置する固定部１７と、固定部１７に対して床面等Ａと平行に自由に回転し得る下部に位置する回転部１９とによって構成されている。
固定部１７のうち飛散防止カバー５の上面７から上方に突出している部分の側胴部には１８０°角度を異ならせてソケットタイプの管継手２１が設けられている。管継手２１には洗浄液Ｗの供給管路を兼ねた２本のアーム部２３の一端が回動自在に接続されている。
【００１４】
アーム部２３はステンレス製のパイプ材を適宜折り曲げることによって形成されており、管継手２１から幅方向、そして前方に短く繰り出された後、上方に長く繰り出された形状を有している。
２本のアーム部２３の他端はＹ字タイプの管継手２５に接続されており、管継手２５の残りの１つのポートを利用して洗浄液Ｗの供給、停止を片手操作で切り替えることができるトリガー式の操作ハンドル２７が取り付けられている。
また操作ハンドル２７には洗浄液Ｗの供給ホース２９が接続されている。
【００１５】
旋回軸９の回転部１９の外周面には１８０°角度を異ならせて外方に張り出すように床面等Ａと平行に２本の旋回パイプ３１が設けられている。旋回パイプ３１はステンレス製のストレートパイプ材によって形成されており、旋回パイプ３１の自由端側の端部には雄ネジ部３３が形成されている。
そして雄ネジ部３３を利用してノズル取付部材３５が取り付けられている。
【００１６】
ノズル取付部材３５は真鍮製の管継手によって構成されており、旋回パイプ３１の雄ネジ部３３と螺合する雌ネジ部３７と、ニップルタイプの管継手４１を取り付けるためのもう一つの雌ネジ部４３とが形成されている。
雌ネジ部４３は雌ネジ部３７と直交する方向に形成されており、これら２つの雌ネジ部４３、３７は連通するように設けられている。
ノズル取付部材３５と旋回パイプ３１との間には旋回パイプ３１の雄ネジ部３３と螺合するロックナット４５が設けられており、ロックナット４５を使用することによってノズル取付部材３５の取付角度αが適宜調整でき、調整した位置でノズル取付部材３５を旋回パイプ３１に対して固定できるようになっている。
取付角度αは一般には図５中、実線で示すように１５°程度に固定されるが、ロックナット４５を使用することによって図５中、仮想線で示すように０°〜７５°の範囲で自由に可変できるようになっている。
【００１７】
ノズル取付部材３５の上記雌ネジ部４３には上記管継手４１を介して洗浄ノズル３９が取り付けられている。
洗浄ノズル３９は外筐部材であるケーシング４７と、ケーシング４７の内部に形成された擂り鉢形状の揺動空間４９と、揺動空間４９内に収容され、中心にノズル口５１が貫通状態で形成されている揺動子５３とを備えている。ノズル口５１は、その横断面形状が真円形に形成されている。
ケーシング４７は先端が幾分窄まったプラスチック製の筒状のカバー部５５と、カバー部５５の内部に収容される真鍮製のハウジング部５７とによって構成されている。
【００１８】
ハウジング部５７の中心には洗浄液Ｗの通り路となる流路５９が形成されており、流路５９の上端には管継手４１と接続するための雌ネジ部６１が形成されている。
また流路５９の途中から下端にかけての部分には揺動空間４９が形成されている。揺動空間４９の底部は凹球面状になっていて、その中心に洗浄液Ｗの噴射角度θを実質的に設定する開口部６３が設けられている。図示の実施の形態では上記噴射角度θを１５°〜３０°に設定している。
【００１９】
揺動子５３は砲弾形状をした部材で、上記外周面には螺線状に配置された複数枚の揺動回転羽根６５が設けられている。また揺動子５３の下端部は球面状になっており、上記凹球面状の揺動空間４９の底部に対して揺動回転しながら摺接するようになっている。
【００２０】
この床面等の洗浄装置１では、作業者が操作ハンドル２７握って操作し、飛散防止カバー５を動作させる。前述のように２本のアーム部２３の一端は管継手２１に回動自在に接続されているので、アーム部２３の傾斜角度を自由に調節することができる。従って、作業者の身長や作業内容に適したアーム部２３の傾斜角度を自由に選択することが可能である。
操作ハンドル２７の引金を引くと、高圧ポンプ（図示せず）に接続された供給ホース２９から操作ハンドル２７、管継手２５、アーム部２３、管継手２１及び回転部１９を介して洗浄液Ｗが旋回パイプ３１に圧送される。そして、洗浄液Ｗは洗浄ノズル３９の開口部６３から噴射され、これにより旋回パイプ３１は開口部６３から噴射される洗浄液Ｗによって床面等Ａとほぼ平行な姿勢で旋回する。
【００２１】
洗浄液Ｗがハウジング部５７内を通過する際、揺動空間４９内に供給された洗浄液Ｗの一部が揺動回転羽根６５に作用することによって、揺動子５３は開口部６３付近を揺動支点として首を振るように揺動回転する。そして揺動子５３が揺動回転することによって揺動子５３の中心を貫くように設けられているノズル口５１も同様に揺動回転し、開口部６３から噴射される洗浄液Ｗは噴射方向を連続的に変化させながら床面等Ａに対して噴射される。
【００２２】
従って本発明では図６に示すように洗浄ノズル３９が本来有する右噴射角度θに加えて、揺動子５３の振れ角度βが作用するため、極めて広い範囲の洗浄領域６７が確保される。
しかも、ノズル口５１は横断面形状が真円形に形成されているので、洗浄液Ｗは小径の柱状に噴射されて、一点に集中することになる。従って、大型のポンプを用いて水量を上げなくても洗浄液Ｗを勢いよく噴射することができて洗浄力を高めることができる。
このように床面等の洗浄装置１によれば、洗浄液の勢いを高く保ったまま、洗浄液Ｗを噴射させる方向を連続的に変化させることができる。
また洗浄ノズル３９の取付角度αはロックナット４５を緩めることによって可変できるから、洗浄液Ｗの流速の変化や床面等Ａの種類や状態等に応じて適宜調整することが可能である。
【００２３】
以上、本発明を実施するための最良の形態として図示の実施の形態を例に採って詳述してきたが、本発明の具体的構成は図示の実施の形態に限定されるものではなく、本発明の要旨から外れない範囲での設計変更等があっても本発明に含まれる。
例えば、洗浄ノズル３９の数は１本の旋回パイプ３１に対して１個ずつ設ける他、１本の旋回パイプ３１に対して複数個設けることも可能である。また旋回パイプ３１の数も２本に限らず、１本でもよいし、３本以上であっても構わない。
【００２４】
また揺動子５３の形状は砲弾形状に限らず、流線形状や球形等、他の形状であっても構わないし、旋回パイプ３１とノズル取付部材３５の双方、あるいはいずれか一方に目盛りを付けておき、この目盛りを頼りに洗浄ノズル３９の取付角度αの調整を行うようにすることも勿論可能である。また洗浄ノズル３９に供給する洗浄液Ｗは洗剤が含まれた水に限らず、単なる水道水等であってもよい。
【産業上の利用可能性】
【００２５】
本発明は各種の床面や床面に敷いたカーペット等を洗浄するのに使用される床面等の洗浄装置の製造、使用分野で利用でき、特に洗浄作業の効率化と、洗浄ムラの生じない丁寧な洗浄作業の実現を図りたい場合に利用可能性を有する。
【図面の簡単な説明】
【００２６】
【図１】本発明の実施の形態に係る床面等の洗浄装置を示す斜視図である。
【図２】本発明の実施の形態に係る床面等の洗浄装置における飛散防止カバーの内部を示す側断面図である。
【図３】本発明の実施の形態に係る床面等の洗浄装置における飛散防止カバーの内部を示す底面図である。
【図４】本発明の実施の形態に係る床面等の洗浄装置における洗浄ノズルの取付部位周辺を拡大して示す側面図である。
【図５】本発明の実施の形態に係る床面等の洗浄装置における洗浄ノズルの取付角度とその調整範囲を示す図４中のＡ−Ａ断面図である。
【図６】本発明の実施の形態に係る床面等の洗浄装置における洗浄ノズルの内部構造の概要を示す側断面図である。
【符号の説明】
【００２７】
１  床面等の洗浄装置                ３  環状ブラシ
５  飛散防止カバー                  ７  上面
９  旋回軸                        １１  取付ブラケット
１３  キャスタ                      １５  ボルト
１７  固定部                        １９  回転部
２１  管継手                        ２３  アーム部
２５  管継手                        ２７  操作ハンドル
２９  供給ホース                    ３１  旋回パイプ
３３  雄ネジ部                      ３５  ノズル取付部材
３７  雌ネジ部                      ３９  洗浄ノズル
４１  管継手                        ４３  雌ネジ部
４５  ロックナット                  ４７  ケーシング
４９  揺動空間                      ５１  ノズル口
５３  揺動子                        ５５  カバー部
５７  ハウジング部                  ５９  流路
６１  雌ネジ部                      ６３  開口部
６５  揺動回転羽根                  ６７  洗浄領域
Ａ  床面等                          Ｗ  洗浄液
α  取付角度                        θ  噴射角度
β  振れ角度
【図１】
2008023219.tif 000003
【図２】
2008023219.tif 000004
【図３】
2008023219.tif 000005
【図４】
2008023219.tif 000006
【図５】
2008023219.tif 000007
【図６】
2008023219.tif 000008